【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
追跡マーク認識モジュールと応答モジュールとを備えた処理装置であって、カメラおよびディスプレーモニターに接続された処理装置を用いて、対話型ゲームを行う経験を提供する方法であって、
１つ以上の追跡マークを表示する着用品を提供することと、
第一の位置で着用品の上に表示された、少なくとも１つの前記追跡マークの位置を認識することであって、前記追跡マークの位置は、前記カメラによって得られた映像を介して前記追跡マーク認識モジュールによって認識されることと、
第二の位置で前記着用品の上に表示された前記追跡マークの位置を認識することであって、前記追跡マークの位置は、前記カメラによって得られた映像を介して前記追跡マーク認識モジュールによって認識されることと、
前記追跡マークの位置の、前記第一の位置から前記第二の位置への変化に応答して、前記応答モジュールの決定に基づいて、ゲームアクションを、前記ディスプレーモニターに表示することであって、前記位置の変化は、前記追跡マーク認識モジュールによって決定されることとを含む方法。
【請求項２】
前記認識することが、前記着用品の１つ以上の色から前記追跡マークの色を識別することにより前記追跡マークの位置を認識することを含む、請求項１記載の対話型ゲームを行う経験を提供する方法。
【請求項３】
前記認識することが、前記追跡マークの形状を識別することにより、前記追跡マークの位置を認識することを含む、請求項１または２に記載の対話型ゲームを行う経験を提供する方法。
【請求項４】
前記認識することが、前記着用品の反射性から前記追跡マークの反射性を識別することにより、前記追跡マークの位置を認識することを含む、請求項１ないし３のいずれかに記載の対話型ゲームを行う経験を提供する方法。
【請求項５】
前記追跡マークが前記着用品の中に織り込まれ、または編み込まれている、請求項１ないし４のいずれかに記載の対話型ゲームを行う経験を提供する方法。
【請求項６】
前記追跡マークが前記着用品に付けられている、請求項１ないし５のいずれかに記載の対話型ゲームを行う経験を提供する方法。
【請求項７】
シルクスクリーニング、パッド印刷、熱転写、染料の昇華、染色、縫い込み、接着剤による接着、含浸、エッチング、ステープルによる取り付けおよびリベットによる取り付けよりなる群から選択される技術により、前記製造された着用品に前記追跡マークが付けられている、請求項６に記載の対話型ゲームを行う経験を提供する方法。
【請求項８】
前記着用品が、履き物、シャツ、ズボン、ジャケット、ショーツ、ソックス、帽子およびバンドよりなる群から選択される、請求項１ないし７のいずれかに記載の対話型ゲームを行う経験を提供する方法。
【請求項９】
前記追跡マークからの情報を認識することと、
前記追跡マークからの前記情報の認識に応じてゲームの態様を変更することとをさらに含む、請求項１ないし８のいずれかに記載の対話型ゲームを行う経験を提供する方法。
【請求項１０】
前記追跡マークが、３次元的に盛り上がった形状を有している、請求項１ないし９のいずれかに記載の対話型ゲームを行う経験を提供する方法。
【請求項１１】
少なくとも１つの前記追跡マークが隠蔽状態と露出状態との間で変換可能であり、前記隠蔽状態にある少なくとも１つの前記追跡マークの付いた着用品は、前記追跡マーク認識モジュールによって追跡されず、前記露出状態にある少なくとも前記１つの追跡マークの付いた着用品が前記追跡マーク認識モジュールによって追跡されることを特徴とする請求項１ないし１０のいずれかに記載の対話型ゲームを行う経験を提供する方法。
【請求項１２】
カメラによって得られた映像を介して追跡マークを認識する追跡マーク認識モジュールと、この追跡マーク認識モジュールの前記認識に基づいて、ゲームアクションをディスプレーモニターに表示させる応答モジュールとを備えた処理装置を用いた対話型コンピュータゲームで使用される服装品であって、
着用品と、
前記着用品上に表示され、前記カメラによって得られた映像を介して前記追跡マーク認識モジュールによって認識されるように配置された少なくとも１つの前記追跡マークであって、３次元的に盛り上がった形状を有している少なくとも１つの追跡マークとを含む服装品。
【請求項１３】
カメラによって得られた映像を介して追跡マークを認識する追跡マーク認識モジュールと、この追跡マーク認識モジュールの前記認識に基づいて、ゲームアクションをディスプレーモニターに表示させる応答モジュールとを備えた処理装置を用いた対話型コンピュータゲームで使用される服装品であって、
着用品と、
前記着用品上に表示され、前記カメラによって得られた映像を介して前記追跡マーク認識モジュールによって認識されるように配置された少なくとも１つの前記追跡マークと、
前記追跡マーク認識モジュールによって追跡不可能な隠蔽状態と、前記追跡マーク認識モジュールによって追跡可能な露出状態との間で、少なくとも１つの前記追跡マークを変換するシステムとを含む服装品。
【請求項１４】
少なくとも１つの前記追跡マークが、前記追跡マークの色に基づいて前記追跡マーク認識モジュールによって認識され得るものである、請求項１２または１３に記載の服装品。
【請求項１５】
少なくとも１つの前記追跡マークが、前記追跡マークの形状に基づいて前記追跡マーク認識モジュールによって認識され得るものである、請求項１２ないし１４のいずれかに記載の服装品。
【請求項１６】
少なくとも１つの前記追跡マークが、前記追跡マークの反射性に基づいて前記追跡マーク認識モジュールによって認識され得るものである、請求項１２ないし１５のいずれかに記載の服装品。
【請求項１７】
少なくとも１つの前記追跡マークが前記着用品の中に織り込まれ、または編み込まれている、請求項１２ないし１６のいずれかに記載の服装品。
【請求項１８】
少なくとも１つの前記追跡マークが前記着用品に付けられている、請求項１２ないし１７のいずれかに記載の服装品。
【請求項１９】
シルクスクリーニング、パッド印刷、熱転写、染料の昇華、染色、縫い込み、接着剤による接着、含浸、エッチング、ステープルによる取り付けおよびリベットによる取り付けよりなる群から選択される技術により、前記着用品に前記少なくとも１つの追跡マークが付けられている、請求項１８記載の対話型ゲームを行う経験を提供する方法。
【請求項２０】
前記着用品が、履き物、シャツ、ズボン、ジャケット、ショーツ、ソックス、帽子およびバンドよりなる群から選択される、請求項１２ないし１９のいずれかに記載の服装品。
【請求項２１】
前記着用品がシャツであり、
少なくとも１つの前記追跡マークが
前記シャツの第一の袖口の近傍に配置された第一の追跡マークと、
前記シャツの第二の袖口の近傍に配置された第二の追跡マークとを含む、請求項１２ないし２０のいずれかに記載の服装品。
【請求項２２】
少なくとも１つの前記追跡マークが、前記シャツの胸の領域に配置された第三の追跡マークを含む、請求項２１記載の服装品。
【請求項２３】
少なくとも１つの前記追跡マークが逆反射性の材料で形成されている、請求項１２ないし２２のいずれかに記載の服装品。
【請求項２４】
前記逆反射性の材料に光透過性の色つきフィルムが積層されている、請求項１２ないし２３のいずれかに記載の服装品。
【請求項２５】
ゲームのプレー領域内において逆反射性の材料で形成された追跡マークを撮像するカメラと、
前記カメラから得られた映像を使用して前記追跡マークの位置の変化を追跡するための画像プロセッサと、
光源とを含み、
前記カメラが、上記光源に対して、上記光源から上記追跡マークへの入射光と、その対応する反射光であって、上記追跡マークによって反射された反射光とのなす角度である観測角度内に位置しており、
前記光源が、前記カメラのレンズを少なくとも部分的に取り囲む、対話型ゲーム。
【請求項２６】
前記光源が、前記カメラのマウント上に位置する、請求項２５記載の対話型ゲーム。
【請求項２７】
前記着用品が、少なくとも１つの前記追跡マークのそれぞれに固定された少なくとも１つのタブであって、当該タブを引くことにより、少なくとも１つの前記追跡マークを前記隠蔽状態から前記露出状態に変換可能であるタブを含み、
前記方法が、少なくとも１つの前記追跡マークを前記隠蔽状態から前記露出状態に変換するために少なくとも１つの前記タブを引くことを更に含む、請求項１１に記載の方法。
【請求項２８】
前記着用品が、当該着用品に固定された少なくとも１つの引きひもであって、当該ひもを引くことにより、少なくとも１つの前記追跡マークを前記隠蔽状態から前記露出状態に変換可能である引きひもを含み、
前記方法が、少なくとも１つの前記追跡マークを前記隠蔽状態から前記露出状態に変換するために、少なくとも１つの前記引きひもを引くことを更に含む、請求項１１に記載の方法。
【請求項２９】
前記着用品が、開位置と閉位置との間で変換可能な複数の開口を含み、前記複数の開口が前記開位置の際には、少なくとも１つの前記追跡マークが前記露出状態になり、前記複数の開口が前記閉位置の際には、少なくとも１つの前記追跡マークが前記隠蔽状態になる、請求項１１に記載の方法。
【請求項３０】
前記着用品が、開位置と閉位置との間で変換可能な少なくとも１つのジッパーを含み、前記少なくとも１つのジッパーが前記開位置の際には、少なくとも１つの前記追跡マークが前記露出状態になり、少なくとも１つの前記ジッパーが前記閉位置の際には、少なくとも１つの前記追跡マークが前記隠蔽状態になる、請求項１１に記載の方法。
【請求項３１】
前記着用品が、少なくとも１つの袖を含むシャツであり、前記袖は第一および第二の表面を有し、前記第一の表面は前記対話型コンピュータゲームによって追跡不可能な性質を有し、前記第二の表面は前記対話型コンピュータゲームによって追跡可能な少なくとも１つの前記追跡マークを含む、請求項１１に記載の方法。
【請求項３２】
前記少なくとも１つの袖は、前記シャツから取り外し可能であり、
前記方法が、
前記少なくとも１つの袖を、前記第一表面が外側に面するように前記シャツに取り付けて、少なくとも１つの前記追跡マークを前記隠蔽状態にすることと、
前記少なくとも１つの袖を、前記第二表面が外側に面するように前記シャツに取り付けて、少なくとも１つの前記追跡マークを前記露出状態にすることとを更に含む、請求項３１に記載の方法。
【請求項３３】
前記少なくとも１つの袖が袖口領域を有し、前記袖口領域が少なくとも１つの重なり合い部分を含み、前記少なくとも１つの重なり合い部分は１つの生地と少なくとも１つのファスナーとを含み、
前記方法が、前記１つの生地を後方に折り畳みこれを前記少なくとも１つのファスナーによって固定し、それにより少なくとも１つの前記追跡マークを前記露出状態にすることとを更に含む、請求項３１に記載の方法。
【請求項３４】
前記着用品が、少なくとも２層の生地を含み、前記少なくとも２層の生地が外側層と内側層とを含み、前記外側層が前記内側層の上で延び、前記内側層が少なくとも１つの前記追跡マークを含み、前記外側層が巻き上げもしくは畳み上げ、または巻き下ろしもしくは畳み下ろしすることができ、
前記方法が、
前記内側層を露出し、少なくとも１つの前記追跡マークが前記露出状態になるように、前記外側層を巻き上げまたは畳み上げることと、
前記内側層を隠し、少なくとも１つの前記追跡マークが前記隠蔽状態になるように、前記外側層を巻き下ろしまたは畳み下ろしすることとを更に含む、請求項１１に記載の方法。
【請求項３５】
前記着用品が少なくとも２層の生地を含み、前記少なくとも２層の生地が外側層と内側層とを含み、前記外側層が前記内側層の上で延び、前記内側層が少なくとも１つの前記追跡マークを含み、前記内側層を引っ張り出しまたは退避させることができ、
前記方法が、
前記内側層を露出し、少なくとも１つの前記追跡マークが前記露出状態になるように、前記内側層を引っ張り出すことと、
前記内側層を隠し、少なくとも１つの前記追跡マークが前記隠蔽状態になるように、前記内側層を退避させることとを更に含む、請求項１１に記載の方法。
【請求項３６】
前記着用品が少なくとも１つのフラップを含み、前記少なくとも１つのフラップが前記着用品に固定される解放可能なファスナーを含み、前記少なくとも１つのフラップが側部を含む追跡マークと側部を含む非追跡マークとを含み、前記方法が、
前記少なくとも１つの追跡マークを前記隠蔽状態にするために、側部を含むそれぞれの追跡マークが向かい合う位置になるように前記少なくとも１つのフラップの２つの部分を構成することと、
前記少なくとも１つの追跡マークを前記露出状態にするために、側部を含む非追跡マークが前記着用品の生地に向かい合う位置になるように前記少なくとも１つのフラップの前記２つの部分を構成することと
を含む、請求項１１に記載の方法。
【請求項３７】
前記隠蔽状態と前記露出状態との間で少なくとも１つの前記追跡マークを変換する前記システムが、少なくとも１つの前記追跡マークのそれぞれに固定された少なくとも１つのタブを含み、前記少なくとも１つのタブを引くと、前記少なくとも１つの追跡マークが前記隠蔽状態から前記露出状態に変換される、請求項１３に記載の服装品。
【請求項３８】
前記隠蔽状態と前記露出状態との間で少なくとも１つの前記追跡マークを変換する前記システムが、前記服装品に固定された少なくとも１つの引きひもを含み、前記少なくとも１つの引きひもを引くと、少なくとも１つの前記追跡マークが前記隠蔽状態から前記露出状態に変換される、請求項１３に記載の服装品。
【請求項３９】
前記隠蔽状態と前記露出状態との間で少なくとも１つの前記追跡マークを変換する前記システムが、開位置と閉位置との間で変換可能な複数の開口を含み、前記複数の開口が前記開位置の際には、少なくとも１つの前記追跡マークが前記露出状態になり、前記複数の開口が前記閉位置の際には、少なくとも１つの前記追跡マークが前記隠蔽状態になる、請求項１３に記載の服装品。
【請求項４０】
前記隠蔽状態と前記露出状態との間で少なくとも１つの前記追跡マークを変換する前記システムが、開位置と閉位置との間で変換可能な少なくとも１つのジッパーを含み、前記少なくとも１つのジッパーが前記開位置の際には、少なくとも１つの前記追跡マークが前記露出状態になり、前記少なくとも１つのジッパーが前記閉位置の際には、少なくとも１つの前記追跡マークが前記隠蔽状態になる、請求項１３に記載の服装品。
【請求項４１】
前記着用品が少なくとも１つの袖を含むシャツであり、前記袖は第一および第二の表面を有し、前記第一の表面は前記対話型コンピュータゲームによって追跡不可能な性質を有し、前記第二の表面は前記対話型コンピュータゲームによって追跡可能な少なくとも１つの前記追跡マークを含む、請求項１３に記載の服装品。
【請求項４２】
前記隠蔽状態と前記露出状態との間で少なくとも１つの前記追跡マークを変換する前記システムを提供するように、前記少なくとも１つの袖が前記シャツから取り外し可能で、前記少なくとも１つの袖を、前記第一の表面が外側を向くように前記シャツに取り付けると、前記少なくとも１つの追跡マークが前記隠蔽状態になり、前記少なくとも１つの袖を、前記第二の表面が外側を向くように前記シャツに取り付けると、少なくとも１つの前記追跡マークが前記露出状態になる、請求項４１に記載の服装品。
【請求項４３】
前記少なくとも１つの袖が袖口領域を有し、前記袖口領域が、少なくとも１つの重なり合い部分を提供することにより、前記隠蔽状態と前記露出状態との間で少なくとも１つの前記追跡マークを変換する前記システムを提供し、前記少なくとも１つの重なり合い部分は、１つの生地と、少なくとも１つのファスナーとを含み、前記１つの生地を後方に折り畳み前記少なくとも１つのファスナーで固定した際には、少なくとも１つの前記追跡マークが前記露出状態になる、請求項４１に記載の服装品。
【請求項４４】
前記隠蔽状態と前記露出状態との間で少なくとも１つの前記追跡マークを変換する前記システムが、少なくとも２層の生地を含み、前記少なくとも２層の生地が外側層と内側層とを含み、前記外側層が前記内側層の上に延び、前記内側層が少なくとも１つの前記追跡マークを含み、前記外側層が巻き上げもしくは畳み上げ、または巻き下ろしもしくは畳み下ろしすることができ、前記外側層が巻き上げもしくは畳み上げられた際には、前記内側層が露出されて少なくとも１つの前記追跡マークが前記露出状態になり、前記外側層が巻き下ろしもしくは畳み下ろされた際には、前記内側層が隠されて少なくとも１つの前記追跡マークが前記隠蔽状態になる、請求項１３に記載の服装品。
【請求項４５】
前記隠蔽状態と前記露出状態との間で少なくとも１つの前記追跡マークを変換する前記システムが、少なくとも２層の生地を含み、前記少なくとも２層の生地が外側層と内側層とを含み、前記外側層が前記内側層の上に延び、前記内側層が少なくとも１つの前記追跡マークを含み、前記内側層を引っ張り出しまたは退避させることができ、前記内側層が引っ張り出された際には、前記内側層が露出されて少なくとも１つの前記追跡マークが前記露出状態になり、前記内側層が退避された際には、前記内側層が隠されて少なくとも１つの前記追跡マークが前記隠蔽状態になる、請求項１３に記載の服装品。
【請求項４６】
前記隠蔽状態と前記露出状態との間で少なくとも１つの前記追跡マークを変換する前記システムが、少なくとも１つのフラップを含み、前記少なくとも１つのフラップが前記着用品に固定される解放可能なファスナーを含み、前記少なくとも１つのフラップが、側部を含む追跡マークと、側部を含む非追跡マークとを含み、前記少なくとも１つのフラップの２つの部分が、互いに向かい合う側部を含む追跡マークを有するすることで、少なくとも１つの前記追跡マークが前記隠蔽状態になり、前記少なくとも１つのフラップの前記２つの部分が、前記着用品の生地に向かい合う側部を含む非追跡マークを有することで、少なくとも１つの前記追跡マークが前記露出状態になる、請求項１３に記載の服装品。